(57)【要約】【課題】中継親機に複数のプロトコルを備えて、複数の機器とネットワーク化して目的に応じたサービスを享受できるドアホンシステムを提供することを目的としている。【解決手段】本発明にかかるドアホンシステムは、少なくとも玄関子機を含み複数のセキュリティ機器からなる子機と、前記複数の子機と通信プロトコルで接続される中継親機とを備え、前記中継親機は、複数の通信プロトコルを備え、前記複数の通信プロトコルの中から自動的に判別したプロトコルを用いて前記子機との接続を行う。【選択図】図１
2008124704.tif 000002
【特許請求の範囲】
【請求項１】
少なくとも玄関子機を含み複数のセキュリティ機器からなる子機と、
前記複数の子機と通信プロトコルで接続される中継親機と、を備え、
前記中継親機は、
複数の通信プロトコルを備え、前記複数の通信プロトコルの中から自動的に判別したプロトコルを用いて前記子機との接続を行うことを特徴とするドアホンシステム。
【請求項２】
前記玄関子機と前記中継親機とは有線２線通信を用いて接続されることを特徴とする請求項１記載のドアホンシステム。
【請求項３】
前記中継親機を介して前記子機と通信プロトコルで接続されるハンディ子機をさらに備え、
前記中継親機は、前記複数の通信プロトコルの中から自動的に判別したプロトコルを用いて前記ハンディ子機との接続を行うことを特徴とする請求項１記載のドアホンシステム。
【請求項４】
前記子機は、
複数の通信プロトコルを備え、
前記中継親機は、
前記子機と接続する通信プロトコルを前記子機が備える複数の通信プロトコルの中から選択する選択手段を備えることを特徴とする請求項１または３記載のドアホンシステム。
【請求項５】
前記ハンディ子機は、
複数の通信プロトコルを備え、
前記中継親機は、
前記ハンディ子機と接続する通信プロトコルを前記ハンディ子機が備える複数の通信プロトコルの中から選択する選択手段を備えることを特徴とする請求項３記載のドアホンシステム。
【発明の詳細な説明】
【技術分野】
【０００１】
本発明は、玄関子機と中継親機とハンディ子機とを備えるドアホンシステムに関するものである。
【背景技術】
【０００２】
従来より、ドアホンシステムは呼び出しボタンと音声通話機能および動画カメラ機能を備える玄関子機と、玄関子機のカメラが撮影した映像を写し出すモニタと玄関子機と行う音声通話機能を備える中継親機と、中継親機を介して玄関子機の呼び出しに応答するハンディ子機とを備えており、玄関子機から送られてくる映像を親機で見ながらおよび親機からハンディ子機に転送して訪問者と通話するものである。
【発明の開示】
【発明が解決しようとする課題】
【０００３】
しかしながら従来のドアホンシステムでは、玄関子機と中継親機との接続は一般的に有線通信を用いて既存設備の有効活用をしており、例えば、無線LANを用いる屋外無線カメラや特定小電力を用いる開閉センサーなど通信プロトコルの異なる他のセキュリティ機器とは接続性がなく、ドアホン機能しか備えていなかった。そのため、屋外無線カメラや開閉センサーなどの他のセキュリティ機器は各セキュリティ機器毎にシステムを構成しなければならず、防犯システムの複雑化と高コスト化という問題があった。
【０００４】
そこで本発明はかかる問題を解決するためになされたものであり、従来のドアホンシステムの機能に加え、複数のセキュリティ機器とネットワーク化して目的に応じたサービスを享受でき、安価で利便性の良い家の防犯システムを構築するドアホンシステムを提供することを目的としている。
【課題を解決するための手段】
【０００５】
請求項１に記載の発明は、少なくとも玄関子機を含み複数のセキュリティ機器からなる子機と、前記複数の子機と通信プロトコルで接続される中継親機とを備え、前記中継親機は、複数の通信プロトコルを備え、前記複数の通信プロトコルの中から自動的に判別したプロトコルを用いて前記子機との接続を行う。
【０００６】
請求項２に記載の発明は、請求項１に記載のドアホンシステムであって、前記玄関子機と前記中継親機とは有線２線通信を用いて接続を行う。
【０００７】
請求項３に記載の発明は、請求項１に記載のドアホンシステムであって、前記中継親機を介して前記子機と通信プロトコルで接続されるハンディ子機をさらに備え、前記中継親機は、前記複数の通信プロトコルの中から自動的に判別したプロトコルを用いて前記ハンディ子機との接続を行う。
【０００８】
請求項４に記載の発明は、請求項１または３に記載のドアホンシステムであって、前記子機は、複数の通信プロトコルを備え、前記中継親機は、前記子機と接続する通信プロトコルを前記子機が備える複数の通信プロトコルの中から選択する選択手段を備える。
【０００９】
請求項５に記載の発明は、請求項３に記載のドアホンシステムであって、前記ハンディ子機は、複数の通信プロトコルを備え、前記中継親機は、前記ハンディ子機と接続する通信プロトコルを前記ハンディ子機が備える複数の通信プロトコルの中から選択する選択手段を備える。
【発明の効果】
【００１０】
請求項１に記載の発明によれば、中継親機が複数の通信プロトコルを持つことによりセキュリティ機器にあった通信プロトコルを選択できるため、システムに最適でかつ安価な構成が可能となる。
【００１１】
請求項２に記載の発明によれば、既存の設備を有効活用することにより安価で効率の良い構成が可能となる。
【００１２】
請求項３に記載の発明によれば、ハンディ子機を備えることにより、固定設置された中継親機で応対しなくても屋内の場所を限定せずにリアルタイムに応対することを可能とし、利用者の利便性が向上する。また、子機を設置工事の際にハンディ子機を用いて手元で調整できることにより、子機と中継親機との間を行き来することなく、または２人以上での設置工事を無くすことができ、簡単に一人で設置できることで、設置容易性の向上と設置精度の向上ならびに設置工事の工賃自体を下げることが可能となる。
【００１３】
請求項４または５に記載の発明によれば、子機およびハンディ子機が複数の通信プロトコルを有することにより、送受信を行う情報に適した通信プロトコルを選択することができ、より効率の良い情報の送受信を行うことができる。
【発明を実施するための最良の形態】
【００１４】
［実施の形態１］
図１は本発明の実施の形態１にかかるドアホンシステムの構成を示した図であり、以下図面を参照してドアホンシステムの構成を説明する。
【００１５】
ドアホンシステムは、少なくとも玄関子機２を含み、屋外無線カメラ３、屋内無線カメラ４、窓や扉などの開閉センサー５、電子錠６、TVユニット７等の複数のセキュリティ機器からなる子機と、複数の子機と通信プロトコルで接続される中継親機１とを備えており、中継親機１が複数の通信プロトコルを備えていることが本発明の特徴である。
【００１６】
ここで、中継親機１が備えている複数のプロトコルとは、有線２線通信、無線LAN、特定小電力、ZIG BEE、ビデオ端子等であり、通信プロトコルの異なったセキュリティ機器との接続を可能としている。例えば図１に示すように、玄関子機２は有線２線通信を用いて中継親機１と接続し、屋外無線カメラ３および屋内無線カメラ４は無線LANを用い、扉や窓などの開閉センサー５は特定小電力を用い、電子錠６はZIG BEEを用い、TVユニット７はビデオ端子を用いて接続する。ここで、玄関子機２と中継親機１との間の接続を有線２線通信にしているのは、一般的な住宅では玄関子機２と中継親機１とは有線接続の配線工事が施されており既存の設備の有効活用のために用いているが、相互にデータの送受信が可能ならば無線通信で行う構成にすることもできる。
【００１７】
また、玄関子機２および屋外無線カメラ３および屋内無線カメラ４は複数の通信プロトコルを備えることができ、例えば図１に示すプロトコル以外にも玄関子機２は無線LANおよびPLCを、屋外無線カメラ３および屋内無線カメラ４はPLCを用いて中継親機１と接続することも可能である。
【００１８】
次に、子機と中継親機１との間の接続について説明する。まず子機は中継親機１を検索し、中継親機１が有しているID情報等が予め子機に登録されている中継親機１のID情報等と一致するか認証を行う。ここで中継親機１は複数のプロトコルを有しており、中継親機１はどの子機からの情報であるかを判断し、子機が情報の送信に用いた通信プロトコルが予め中継親機が決めておいた通信プロトコルと一致するかをルーティングすることで、複数のプロトコルの中から自動的に判別したプロトコルを用いて子機との接続を行う。
【００１９】
また、玄関子機２や屋外無線カメラ３や屋内無線カメラ４のように複数の通信プロトコルを備えている子機は、複数の通信プロトコルを用いてほぼ同時に同じ情報を中継親機１へ送信する。ここで、中継親機１は選択手段を備えており、選択手段を用いて子機と接続する通信プロトコルを子機が備える複数の通信プロトコルの中から選択する。
【００２０】
次に中継親機１は、選択した通信プロトコルを子機に指示し、子機は複数の通信プロトコルの中から指示された通信プロトコルを用いて中継親機１と接続され、情報の送受信を行う。
【００２１】
ここで選択手段とは、中継親機１が同時に同じ情報を受信したときに、エラー発生率が小さい通信プロトコルを選ぶアルゴリズム等である。例えば屋内無線カメラ４においては、カメラからの映像を無線LANとPLCでほぼ同時に中継親機へ送信し、同じ映像を１００ミリ秒間送受信してエラー発生率が小さく情報の取り込み容量が大きい方を判定して、その後の送受信を行う通信プロトコルを決定する手段である。
【００２２】
このように中継親機１に複数の通信プロトコルを備えることにより、セキュリティ機器にあった通信プロトコルを選択できるため、システムに最適でかつ安価な構成が可能となる。また、子機が複数の通信プロトコルを備えることにより、送受信を行う情報に適した通信プロトコルを選択することができ、より効率の良い情報の送受信を行うことができる。
【００２３】
［実施の形態２］
図２は本発明の実施の形態２にかかるドアホンシステムの構成を示した図であり、ハンディ子機８をさらに備えた構成となっている。
【００２４】
例えば図２に示すように、ハンディ子機８は無線LANを用いて中継親機１と接続しているが、ハンディ子機８は特定小電力等の複数の通信プロトコルを備えることが可能である。
【００２５】
ハンディ子機８と中継親機１との間の接続は、実施の形態１にかかる子機と中継親機1との接続と同様であり説明を省略する。
【００２６】
このようにハンディ子機８を備えることにより、固定設置された中継親機１で応対しなくても屋内の場所を限定せずにリアルタイムに応対することを可能とし、利用者の利便性が向上する。また、子機を設置工事の際にハンディ子機８を用いて手元で調整できることにより、子機と中継親機１との間を行き来することなく、または２人以上での設置工事を無くすことができ、簡単に一人で設置できることで、設置容易性の向上と設置精度の向上ならびに設置工事の工賃自体を下げる効果がある。また、ハンディ子機８が複数の通信プロトコルを備えることにより、送受信を行う情報に適した通信プロトコルを選択することができ、より効率の良い情報の送受信を行うことができる。
【図面の簡単な説明】
【００２７】
【図１】本発明の実施の形態１にかかるドアホンシステムの構成を示した図である。
【図２】本発明の実施の形態２にかかるドアホンシステムの構成を示した図である。
【符号の説明】
【００２８】
１  中継親機
２  玄関子機
３  屋外無線カメラ
４  屋内無線カメラ
５  開閉センサー
６  電子錠
７  TVユニット
８  ハンディ子機
【図１】
2008124704.tif 000003
【図２】
2008124704.tif 000004